(57)【要約】【課題】予め電話帳に登録していない電話番号から着信した場合でも、発信者を特定しやすくすることが可能な電話機および固定電話機を提供する。【解決手段】この固定電話機１（電話機）は、表示部１０４、親機１０のスピーカ１１０および子機２０のスピーカ２０２と、電話を着信した際に、発信履歴および着信履歴からなる発着信履歴１０２ａの中に、着信した電話番号に対応する発着信履歴１０２ａが存在する場合には、着信した電話番号に対応する発着信履歴１０２ａに関する情報を表示部１０４、親機１０のスピーカ１１０および子機２０のスピーカ２０２により通知する制御を行う制御部１０１とを備える。【選択図】図４
2013051581.tif 000002
【特許請求の範囲】
【請求項１】
通知部と、
電話を着信した際に、発信履歴および着信履歴からなる発着信履歴の中に、着信した電話番号に対応する発着信履歴が存在する場合には、前記着信した電話番号に対応する発着信履歴に関する情報を前記通知部により通知する制御を行う制御部とを備える、電話機。
【請求項２】
発信履歴および着信履歴を含む前記発着信履歴を記憶する第１記憶部をさらに備え、
前記制御部は、電話を着信した際に、前記第１記憶部に記憶された前記発着信履歴の中に、前記着信した電話番号に対応する発着信履歴が存在する場合には、前記着信した電話番号に対応する発着信履歴に関する情報を前記通知部により通知する制御を行うように構成されている、請求項１に記載の電話機。
【請求項３】
前記制御部は、電話を着信した際に、前記第１記憶部に記憶された前記発着信履歴の中に、前記着信した電話番号に対応する発信履歴および着信履歴の両方が存在する場合には、所定の基準に基づいて前記着信した電話番号に対応する発信履歴に関する情報および前記着信した電話番号に対応する着信履歴に関する情報のうちいずれかを選択して前記通知部により通知する制御を行うように構成されている、請求項２に記載の電話機。
【請求項４】
前記所定の基準は、発着信の回数を含み、
前記制御部は、電話を着信した際に、前記着信した電話番号に対応した発信履歴の発信回数と、前記着信した電話番号に対応した着信履歴の着信回数とを互いに比較して、回数が多い方の履歴に関する情報を選択して前記通知部により通知する制御を行うように構成されている、請求項３に記載の電話機。
【請求項５】
前記通知部は、表示部および音声出力部のうち少なくとも一方を含み、
前記制御部は、電話を着信した際に、前記発着信履歴の中に、前記着信した電話番号に対応する発着信履歴が存在する場合には、前記着信した電話番号に対応する発着信履歴に関する情報を前記表示部および前記音声出力部のうち少なくとも一方により通知する制御を行うように構成されている、請求項２〜４のいずれか１項に記載の電話機。
【請求項６】
前記制御部は、電話を着信した際に、前記発着信履歴の中に、前記着信した電話番号に対応する発着信履歴が存在する場合には、前記着信した電話番号に対応する発着信履歴の発信回数または着信回数、最新の発着信日時、最新の発着信時の通話時間および発着信の頻度が大きい時間帯のうち少なくとも１つを前記通知部により通知する制御を行うように構成されている、請求項２〜５のいずれか１項に記載の電話機。
【請求項７】
前記制御部は、電話を着信した際に、前記発着信履歴の中に、前記着信した電話番号に対応する発着信履歴が存在しない場合には、不明な電話番号からの着信である旨を前記通知部により通知する制御を行うように構成されている、請求項２〜６のいずれか１項に記載の電話機。
【請求項８】
前記制御部は、発着信した電話番号に対応した発着信履歴に対応付けて通話時の音声を前記第１記憶部に記憶させるとともに、電話を着信した際に、前記発着信履歴の中に、前記着信した電話番号に対応する発着信履歴が存在する場合には、前記第１記憶部に記憶させた前記通話時の音声を前記通知部により通知する制御を行うように構成されている、請求項２〜７のいずれか１項に記載の電話機。
【請求項９】
前記制御部は、通話後に発着信した電話番号に対するユーザの評価を受け付けて前記発着信した電話番号に対応した発着信履歴に対応付けて前記発着信した電話番号に対するユーザの評価を前記第１記憶部に記憶させるとともに、電話を着信した際に、前記発着信した電話番号に対するユーザの評価に基づいて、評価が低い場合には着信時の呼び出しを行わない制御を行うように構成されている、請求項２〜８のいずれか１項に記載の電話機。
【請求項１０】
電話帳を記憶する第２記憶部をさらに備え、
前記制御部は、電話を着信した際に、前記着信した電話番号が前記第２記憶部に記憶された前記電話帳に登録されている場合には、前記電話帳に登録された前記着信した電話番号に関する情報を通知するとともに、前記着信した電話番号が前記第２記憶部に記憶された前記電話帳に登録されていない場合で、かつ、前記第１記憶部に記憶された前記発着信履歴の中に、前記着信した電話番号に対応する発着信履歴が存在する場合には、前記着信した電話番号に対応する発着信履歴に関する情報を前記通知部により通知する制御を行うように構成されている、請求項２〜９のいずれか１項に記載の電話機。
【請求項１１】
通知部と、
電話を着信した際に、発信履歴および着信履歴からなる発着信履歴の中に、着信した電話番号に対応する発着信履歴が存在する場合には、前記着信した電話番号に対応する発着信履歴に関する情報を前記通知部により通知する制御を行う制御部とを備える、固定電話機。
【発明の詳細な説明】
【技術分野】
【０００１】
この発明は、電話機および固定電話機に関し、特に、所定の情報を通知する通知部を備えた電話機および固定電話機に関する。
【背景技術】
【０００２】
従来、所定の情報を通知する通知部を備えた電話機および固定電話機が知られている（たとえば、特許文献１参照）。
【０００３】
上記特許文献１には、スピーカ(通知部)と、電話を着信した際に、着信した電話番号に関する情報をスピーカにより音声で通知する制御を行うマイクロコンピュータ（制御部）とを備える携帯電話機（電話機）が開示されている。この携帯電話機では、マイクロコンピュータは、電話を着信した際に、着信した電話番号が電話帳に予め登録されている場合には、着信した電話番号に対応する発信者名（登録名）をスピーカにより音声で通知する制御を行うように構成されている。
【先行技術文献】
【特許文献】
【０００４】
【特許文献１】特開平１０−２３３８３３号公報
【発明の概要】
【発明が解決しようとする課題】
【０００５】
しかしながら、上記特許文献１の携帯電話機では、電話番号を電話帳に予め登録しておかなければ、発信者に関する情報を通知することができないので、電話帳に予め登録されていない電話番号から着信した場合には、発信者に関する情報が通知されず、発信者を特定することが困難であるという問題点がある。
【０００６】
この発明は、上記のような課題を解決するためになされたものであり、この発明の１つの目的は、電話帳に登録していない電話番号から着信した場合でも、発信者を特定しやすくすることが可能な電話機および固定電話機を提供することである。
【課題を解決するための手段および発明の効果】
【０００７】
この発明の第１の局面による電話機は、通知部と、電話を着信した際に、発信履歴および着信履歴からなる発着信履歴の中に、着信した電話番号に対応する発着信履歴が存在する場合には、着信した電話番号に対応する発着信履歴に関する情報を通知部により通知する制御を行う制御部とを備える。
【０００８】
この発明の第１の局面による電話機では、上記のように、着信した電話番号に対応する発着信履歴に関する情報を通知部により通知する制御を行う制御部を設けることによって、電話帳に登録されていない電話番号から着信した場合でも、発着信履歴が存在する場合には、着信した電話番号に対応する情報を通知して発信者を特定しやすくすることができる。これにより、電話帳に登録されていない電話番号から着信した場合でも、迷惑電話か否かを判別できる可能性を高くすることができる。
【０００９】
上記第１の局面による電話機において、好ましくは、発信履歴および着信履歴を含む発着信履歴を記憶する第１記憶部をさらに備え、制御部は、電話を着信した際に、第１記憶部に記憶された発着信履歴の中に、着信した電話番号に対応する発着信履歴が存在する場合には、着信した電話番号に対応する発着信履歴に関する情報を通知部により通知する制御を行うように構成されている。このように構成すれば、第１記憶部に着信した電話番号に対応する発着信履歴が存在する場合には、着信した電話番号に対応する発着信履歴に関する情報を第１記憶部から取り出して容易に通知することができる。
【００１０】
上記第１記憶部を備える構成において、好ましくは、制御部は、電話を着信した際に、第１記憶部に記憶された発着信履歴の中に、着信した電話番号に対応する発信履歴および着信履歴の両方が存在する場合には、所定の基準に基づいて着信した電話番号に対応する発信履歴に関する情報および着信した電話番号に対応する着信履歴に関する情報のうちいずれかを選択して通知部により通知する制御を行うように構成されている。このように構成すれば、着信した電話番号に対応する発信履歴に関する情報および着信した電話番号に対応する着信履歴に関する情報の両方を通知する場合と異なり、発信履歴に関する情報および着信履歴に関する情報の一方を選択して通知することにより情報量が過度に多くなるのを抑制することができるので、通知された情報に基づいて、発信者を特定する際のユーザの負担を軽減することができる。
【００１１】
この場合、好ましくは、所定の基準は、発着信の回数を含み、制御部は、電話を着信した際に、着信した電話番号に対応した発信履歴の発信回数と、着信した電話番号に対応した着信履歴の着信回数とを互いに比較して、回数が多い方の履歴に関する情報を選択して通知部により通知する制御を行うように構成されている。このように構成すれば、発信回数および着信回数のうち回数が多い方の履歴に関する情報が通知されるので、情報量が過度に多くなるのを抑制しながら、ユーザが発信者を特定するためのより充実した情報を通知することができる。
【００１２】
上記第１記憶部を備える構成において、好ましくは、通知部は、表示部および音声出力部のうち少なくとも一方を含み、制御部は、電話を着信した際に、発着信履歴の中に、着信した電話番号に対応する発着信履歴が存在する場合には、着信した電話番号に対応する発着信履歴に関する情報を表示部および音声出力部のうち少なくとも一方により通知する制御を行うように構成されている。このように構成すれば、発着信履歴に関する情報を視覚的または聴覚的に通知することができるので、ユーザが発着信履歴に関する情報を容易に確認することができる。
【００１３】
上記第１記憶部を備える構成において、好ましくは、制御部は、電話を着信した際に、発着信履歴の中に、着信した電話番号に対応する発着信履歴が存在する場合には、着信した電話番号に対応する発着信履歴の発信回数または着信回数、最新の発着信日時、最新の発着信時の通話時間および発着信の頻度が大きい時間帯のうち少なくとも１つを通知部により通知する制御を行うように構成されている。このように構成すれば、通知された発着信履歴の発信回数または着信回数、最新の発着信日時、最新の発着信時の通話時間または発着信の頻度が大きい時間帯の情報によりユーザが容易に発信者を推定することができる。
【００１４】
上記第１記憶部を備える構成において、好ましくは、制御部は、電話を着信した際に、発着信履歴の中に、着信した電話番号に対応する発着信履歴が存在しない場合には、不明な電話番号からの着信である旨を通知部により通知する制御を行うように構成されている。このように構成すれば、通知部による不明な電話番号からの着信である旨の通知に基づいて、ユーザが不明な電話番号からの着信に対して適切な対処をとることができる。
【００１５】
上記第１記憶部を備える構成において、好ましくは、制御部は、発着信した電話番号に対応した発着信履歴に対応付けて通話時の音声を第１記憶部に記憶させるとともに、電話を着信した際に、発着信履歴の中に、着信した電話番号に対応する発着信履歴が存在する場合には、第１記憶部に記憶させた通話時の音声を通知部により通知する制御を行うように構成されている。このように構成すれば、発着信履歴に対応付けて記憶された通話時の音声によりユーザが容易に発信者を推定することができる。
【００１６】
上記第１記憶部を備える構成において、好ましくは、制御部は、通話後に発着信した電話番号に対するユーザの評価を受け付けて発着信した電話番号に対応した発着信履歴に対応付けて発着信した電話番号に対するユーザの評価を第１記憶部に記憶させるとともに、電話を着信した際に、発着信した電話番号に対するユーザの評価に基づいて、評価が低い場合には着信時の呼び出しを行わない制御を行うように構成されている。このように構成すれば、ユーザの評価が低い発信者からの着信に対してユーザが対応しなくても済むようにすることができる。
【００１７】
上記第１記憶部を備える構成において、好ましくは、電話帳を記憶する第２記憶部をさらに備え、制御部は、電話を着信した際に、着信した電話番号が第２記憶部に記憶された電話帳に登録されている場合には、電話帳に登録された着信した電話番号に関する情報を通知するとともに、着信した電話番号が第２記憶部に記憶された電話帳に登録されていない場合で、かつ、第１記憶部に記憶された発着信履歴の中に、着信した電話番号に対応する発着信履歴が存在する場合には、着信した電話番号に対応する発着信履歴に関する情報を通知部により通知する制御を行うように構成されている。このように構成すれば、電話帳に登録されている電話番号からの着信の場合には優先的に電話帳に登録された着信した電話番号に関する情報を通知して発信者を容易に特定させることができるとともに、電話帳に登録されていない電話番号からの着信の場合でも着信した電話番号に対応する発着信履歴に関する情報を通知して発信者を特定しやすくすることができる。
【００１８】
この発明の第２の局面による固定電話機は、通知部と、電話を着信した際に、発信履歴および着信履歴からなる発着信履歴の中に、着信した電話番号に対応する発着信履歴が存在する場合には、着信した電話番号に対応する発着信履歴に関する情報を通知部により通知する制御を行う制御部とを備える。
【００１９】
この発明の第２の局面による固定電話機では、上記のように、着信した電話番号に対応する発着信履歴に関する情報を通知部により通知する制御を行う制御部を設けることによって、電話帳に登録されていない電話番号から着信した場合でも、発着信履歴が存在する場合には、着信した電話番号に対応する情報を通知して発信者を特定しやすくすることができる。これにより、電話帳に登録されていない電話番号から着信した場合でも、迷惑電話か否かを判別できる可能性を高くすることができる。このような効果は、特に、電話帳機能を使用することが少ない固定電話機において有効である。また、固定電話機をアナログ回線に接続することにより着信時に得られる情報が限られてしまう場合でも発信者を特定しやすくすることができるという効果を得ることができる。
【図面の簡単な説明】
【００２０】
【図１】本発明の第１および第２実施形態による固定電話機の構成を示したブロック図である。
【図２】本発明の第１実施形態による固定電話機の発着信履歴を示した図である。
【図３】本発明の第１実施形態による固定電話機の制御部による電話を着信した際の対処処理を説明するためのフローチャートである。
【図４】本発明の第１実施形態による固定電話機の制御部による通知処理を説明するためのフローチャートである。
【図５】本発明の第１および第２実施形態による固定電話機の表示部による着信履歴の通知を示した図である。
【図６】本発明の第１および第２実施形態による固定電話機の表示部による不明である旨の通知を示した図である。
【図７】本発明の第１実施形態による固定電話機の制御部による通話中の録音処理を説明するためのフローチャートである。
【図８】本発明の第１実施形態による固定電話機の制御部による通話終了後の処理を説明するためのフローチャートである。
【図９】本発明の第２実施形態による固定電話機の発信履歴を示した図である。
【図１０】本発明の第２実施形態による固定電話機の着信履歴を示した図である。
【図１１】本発明の第２実施形態による固定電話機の制御部による通知処理を説明するためのフローチャートである。
【発明を実施するための形態】
【００２１】
以下、本発明の実施形態を図面に基づいて説明する。
【００２２】
（第１実施形態）
まず、図１および図２を参照して、本発明の第１実施形態による固定電話機１の構成について説明する。なお、固定電話機１は、本発明の「電話機」の一例である。
【００２３】
本発明の第１実施形態による固定電話機１は、図１に示すように、親機１０と、子機２０とを備えている。親機１０は、制御部１０１と、メモリ１０２および１０３と、表示部１０４と、操作部１０５と、通信部１０６と、番号抽出回路１０７と、内線通信部１０８と、マイク１０９と、スピーカ１１０とを含んでいる。子機２０は、マイク２０１と、スピーカ２０２と、操作部２０３とを含んでいる。固定電話機１は、ナンバーディスプレイ（登録商標）に対応しており、着信した電話番号を通知可能に構成されている。なお、メモリ１０２およびメモリ１０３は、それぞれ、本発明の「第１記憶部」および「第２記憶部」の一例である。また、表示部１０４は、本発明の「通知部」の一例であり、スピーカ１１０および２０２は、本発明の「通知部」および「音声出力部」の一例である。
【００２４】
制御部１０１は、固定電話機１の各部を制御するように構成されている。また、制御部１０１は、番号抽出回路１０７を介して着信した電話番号を取得するように構成されている。また、制御部１０１は、後述する発着信履歴１０２ａおよび後述する電話帳１０３ａと着信した電話番号とに基づいて、着信した電話番号に対応した発着信履歴１０２ａの情報または電話帳１０３ａの情報を表示部１０４、スピーカ１１０およびスピーカ２０２により通知するように構成されている。また、制御部１０１は、発着信があった場合に発着信履歴１０２ａを更新するように構成されている。また、制御部１０１は、通話中に相手の音声を録音して発着信履歴１０２ａに対応付けてメモリ１０２に記憶させるように構成されている。また、制御部１０１は、通話終了後に発着信した電話番号に対するユーザの評価を操作部１０５を介して受け付けた後、発着信履歴１０２ａに対応付けてメモリ１０２に記憶させるように構成されている。
【００２５】
メモリ１０２には、発着信履歴１０２ａが記憶されている。発着信履歴１０２ａには、図２に示すように、発信回数、最新の発信日時、最新の発信時の通話時間、多く発信する時間帯、着信回数、最新の着信日時、最新の着信時の通話時間、多く着信する時間帯、発着信した電話番号に対するユーザの評価および通話時の音声がそれぞれ発着信した電話番号に対応付けられて記憶されている。なお、多く発信する時間帯および多く着信する時間帯は、１週間を平日、土曜日および日曜日に区切った上で、さらに１日を３時間ごとに８つに区切った時間帯で表している。また、発着信した電話番号に対するユーザの評価は、ユーザにとって安全な発信者である「○」の評価と、ユーザにとって安全とも迷惑とも言えない発信者（たとえば、発信者のことをユーザは知っているが、電話を取りたくない時もある発信者）である「△」の評価と、ユーザにとって迷惑な発信者である「×」の評価との３つに分類されている。また、評価がされていない場合は「−」で表されている。また、発着信履歴１０２ａは、書き換え可能に構成されている。
【００２６】
たとえば、電話番号が「ｂｂｂ−ｂｂｂｂ−ｂｂｂｂ」の場合では、発信回数が１回、最新の発信日時が２０１１年５月１９日（木）１０：０３、最新の発信時の通話時間が１２分８秒、多く発信する時間帯が平日の９時〜１２時の間、着信回数が０回、最新の着信日時は着信がないため無し、最新の着信時の通話時間は着信がないため無し、多く着信する時間帯は着信がないため無し、発着信した電話番号に対するユーザの評価が△、通話時の音声は有りということが発着信履歴１０２ａに記憶されている。
【００２７】
メモリ１０３には、電話帳１０３ａが記憶されている。電話帳１０３ａは、電話番号および名前が登録されている。また、電話帳１０３ａは、書き換え可能に構成されている。
【００２８】
表示部１０４は、発着信履歴１０２ａに記憶されている発着信履歴の内容を表示可能に構成されている。また、表示部１０４は、電話帳１０３ａに登録されている名前を表示可能に構成されている。操作部１０５は、ダイヤルボタンを含んでいる。また、操作部１０５は、発信時の電話番号を入力する際に用いられるように構成されている。また、操作部１０５は、電話帳１０３ａに電話番号と名前とを入力する際に用いられるように構成されている。また、操作部１０５は、発着信した電話番号に対するユーザの評価を入力する際に用いられるように構成されている。
【００２９】
通信部１０６は、電話網３０に接続されており、電話通信可能に構成されている。番号抽出回路１０７は、通信部１０６を介して電話網３０からの電話の発信者の電話番号を抽出するように構成されている。内線通信部１０８は、子機２０に接続されている。これにより、親機１０で電話を発着信するのと同様に子機２０でも電話を発着信させることが可能である。
【００３０】
マイク１０９は、通話中の音声を電気信号に変換するように構成されている。スピーカ１１０は、通話中に電気信号を音声に変換して出力するように構成されている。また、スピーカ１１０は、着信時に発着信履歴１０２ａに記憶されている発着信履歴の内容を音声で出力可能に構成されている。また、スピーカ１１０は、電話帳１０３ａに登録されている名前を音声で出力可能に構成されている。
【００３１】
子機２０のマイク２０１は、親機１０のマイク１０９と同様に通話中の音声を電気信号に変換するように構成されている。子機２０のスピーカ２０２は、親機１０のスピーカ１１０と同様に通話中に電気信号を音声に変換して出力するように構成されている。また、スピーカ２０２は、着信時に発着信履歴１０２ａに記憶されている発着信履歴の内容を音声で出力可能に構成されている。また、スピーカ２０２は、電話帳１０３ａに登録されている名前を音声で出力可能に構成されている。子機２０の操作部２０３は、親機１０の操作部１０５と同様にダイヤルボタンを含んでいる。また、操作部２０３は、発信時の電話番号を入力する際に用いられるように構成されている。また、操作部２０３は、電話帳１０３ａに電話番号と名前とを入力する際に用いられるように構成されている。また、操作部２０３は、発着信した電話番号に対するユーザの評価を入力する際に用いられるように構成されている。
【００３２】
次に、図３を参照して、固定電話機１が電話を着信した際に、制御部１０１の行う処理について説明する。
【００３３】
固定電話機１が電話網３０からの電話を着信すると、図３のステップＳ１において、制御部１０１は、番号抽出回路１０７を介して着信した電話番号を取得する。ステップＳ２において、制御部１０１は、着信した電話番号とメモリ１０２に記憶された発着信履歴１０２ａとを比較して、着信した電話番号に対応するユーザの評価を判断する。ステップＳ３において、制御部１０１は、発着信した電話番号に対するユーザの評価が×であるか否かを判断する。なお、着信した電話番号が発着信履歴１０２ａに存在しない場合や、発着信履歴１０２ａに存在しても評価がない場合は、制御部１０１は、評価が×ではないと判断する。評価が×であれば、制御部１０１は、ステップＳ６において、呼び出しを行わずに着信が切れるまで放置する、または、留守番電話録音に切り替える。なお、放置するか留守番電話録音に切り替えるかは、ユーザにより予め設定可能である。その後、制御部１０１は、着信した際の処理を終了する。評価が×でなければ、ステップＳ４において、制御部１０１は、着信した電話番号に関する情報を通知する処理を行う。ステップＳ５において、制御部１０１は、呼び出しを行い、着信した際の処理を終了する。
【００３４】
次に、図４を参照して、上記電話を着信した際の処理のステップＳ４の着信した電話番号に関する情報を通知する処理について説明する。
【００３５】
ステップＳ１１において、制御部１０１は、着信した電話番号が電話帳１０３ａに登録されているか否かを判断する。電話帳１０３ａに登録されていなければ、ステップＳ１２に進む。電話帳１０３ａに登録されていれば、ステップＳ１９において、制御部１０１は、電話帳１０３ａに登録されている発信者の名前を、表示部１０４により表示させるとともに親機１０のスピーカ１１０および子機２０のスピーカ２０２により名前を音声で出力させて、着信した電話番号に関する情報を通知する処理を終了する。
【００３６】
電話帳１０３ａに登録されていない場合には、ステップＳ１２において、制御部１０１は、着信した電話番号が発着信履歴１０２ａの発信履歴に存在するか否かを判断する。発信履歴に存在すれば、ステップＳ１３において、制御部１０１は、着信した電話番号が発着信履歴１０２ａの着信履歴に存在するか否かを判断する。着信履歴に存在しなければ、ステップＳ１５に進む。着信履歴に存在すれば、ステップＳ１４において、制御部１０１は、着信した電話番号に対応する発着信履歴１０２ａの着信回数と発信回数とを比較する。着信回数が発信回数よりも少なければ、ステップＳ１５において、制御部１０１は、着信した電話番号に対応する発着信履歴１０２ａの最新の発信日時、最新の発信時の通話時間、発信回数、発着信した電話番号に対するユーザの評価および多く発信する時間帯を、表示部１０４により表示させるとともに親機１０のスピーカ１１０および子機２０のスピーカ２０２により音声で出力させる。
【００３７】
一方、着信回数が発信回数以上であれば、ステップＳ１６において、制御部１０１は、着信した電話番号に対応する発着信履歴１０２ａの最新の着信日時、最新の着信時の通話時間、着信回数、発着信した電話番号に対するユーザの評価および多く着信する時間帯を、表示部１０４により表示（図５参照）させるとともに親機１０のスピーカ１１０および子機２０のスピーカ２０２により音声で出力させる。
【００３８】
ステップＳ１５またはステップＳ１６の後、ステップＳ１７において、制御部１０１は、着信した電話番号に対応する発着信履歴１０２ａに通話時の音声データが存在するか否かを判断する。通話時の音声データが存在すれば、ステップＳ１８において、制御部１０１は、通話時の音声を親機１０のスピーカ１１０および子機２０のスピーカ２０２により音声で出力させる。通話時の音声データが存在しなければ、制御部１０１は、着信した電話番号に関する情報を通知する処理を終了する。
【００３９】
ステップＳ１２の判断において発信履歴に存在しない場合には、ステップＳ２０において、制御部１０１は、着信した電話番号が発着信履歴１０２ａの着信履歴に存在するか否かを判断する。着信履歴に存在すれば、ステップＳ１６に進み、着信履歴に存在しなければ、ステップＳ２１に進む。ステップＳ２１において、制御部１０１は、着信した電話番号が不明である旨を、表示部１０４により表示（図６参照）させるとともに親機１０のスピーカ１１０および子機２０のスピーカ２０２により音声で出力させて、着信した電話番号に関する情報を通知する処理を終了する。
【００４０】
次に、図７を参照して、制御部１０１が行う通話中の録音処理について説明する。
【００４１】
着信および発信のいずれの場合でも、通話が開始されると、ステップＳ３１において、制御部１０１は、発着信している通話相手の電話番号を判断する。ステップＳ３２において、制御部１０１は、発着信した電話番号が電話帳１０３ａに登録されているか否かを判断する。電話帳１０３ａに登録されていれば、制御部１０１は、通話中の録音処理を終了する。電話帳１０３ａに登録されていなければ、ステップＳ３３において、制御部１０１は、通話相手の音声を録音する。ステップＳ３４において、制御部１０１は、録音した音声を発着信した電話番号に対応する発着信履歴１０２ａの音声データに記憶させて、発着信履歴１０２ａを更新する。その後、制御部１０１は、通話中の録音処理を終了する。
【００４２】
次に、図８を参照して、制御部１０１が行う通話終了後の処理について説明する。
【００４３】
着信および発信のいずれの場合でも、通話が終了すると、ステップＳ４１において、制御部１０１は、発着信していた通話相手の電話番号を判断する。ステップＳ４２において、制御部１０１は、発着信した電話番号が電話帳１０３ａに登録されているか否かを判断する。電話帳１０３ａに登録されていれば、制御部１０１は、通話終了後の処理を終了する。電話帳１０３ａに登録されていなければ、ステップＳ４３において、制御部１０１は、発着信した電話番号に対応する発着信履歴１０２ａの発着信した電話番号に対するユーザの評価があるか否かを判断する。ユーザの評価がなければ、ステップＳ４４において、制御部１０１は、発着信した電話番号に対するユーザの評価を受け付ける。具体的には、発着信した電話番号に対するユーザの評価の○（安全な発信者）、△（安全とも迷惑とも言えない発信者）および×（迷惑な発信者）を操作部１０５を介して受け付ける。ユーザの評価があれば、ステップＳ４５に進む。ステップＳ４５において、制御部１０１は、発着信した電話番号に対応する発着信履歴１０２ａを更新して、通話終了後の処理を終了する。
【００４４】
第１実施形態では、上記のように、着信した電話番号に対応する発着信履歴１０２ａに関する情報を表示部１０４、親機１０のスピーカ１１０および子機２０のスピーカ２０２により通知する制御を行う制御部１０１を設けることによって、電話帳１０３ａに登録されていない電話番号から着信した場合でも、発着信履歴１０２ａが存在する場合には、着信した電話番号に対応する情報を通知して発信者を特定しやすくすることができる。これにより、電話帳１０３ａに登録されていない電話番号から着信した場合でも、迷惑電話か否かを判別できる可能性を高くすることができる。このような効果は、特に、電話帳機能を使用することが少ない固定電話機１において有効である。また、固定電話機１をアナログ回線に接続することにより着信時に得られる情報が限られてしまう場合でも発信者を特定しやすくすることができるという効果を得ることができる。
【００４５】
また、第１実施形態では、発信履歴および着信履歴を含む発着信履歴１０２ａを記憶するメモリ１０２を設け、制御部１０１を、電話を着信した際に、メモリ１０２に記憶された発着信履歴１０２ａの中に、着信した電話番号に対応する発着信履歴１０２ａが存在する場合には、着信した電話番号に対応する発着信履歴１０２ａに関する情報を表示部１０４、親機１０のスピーカ１１０および子機２０のスピーカ２０２により通知する制御を行うように構成することによって、メモリ１０２に着信した電話番号に対応する発着信履歴１０２ａが存在する場合には、着信した電話番号に対応する発着信履歴１０２ａに関する情報をメモリ１０２から取り出して容易に通知することができる。
【００４６】
また、第１実施形態では、制御部１０１を、電話を着信した際に、着信した電話番号に対応した発信履歴の発信回数と、着信した電話番号に対応した着信履歴の着信回数とを互いに比較して、回数が多い方の履歴に関する情報を選択して表示部１０４、親機１０のスピーカ１１０および子機２０のスピーカ２０２により通知する制御を行うように構成することによって、発信回数および着信回数のうち回数が多い方の履歴に関する情報が通知されるので、情報量が過度に多くなるのを抑制しながら、ユーザが発信者を特定するためのより充実した情報を通知することができる。
【００４７】
また、第１実施形態では、制御部１０１を、電話を着信した際に、発着信履歴１０２ａの中に、着信した電話番号に対応する発着信履歴１０２ａが存在する場合には、着信した電話番号に対応する発着信履歴１０２ａに関する情報を表示部１０４、親機１０のスピーカ１１０および子機２０のスピーカ２０２により通知する制御を行うように構成することによって、発着信履歴１０２ａに関する情報を視覚的および聴覚的に通知することができるので、ユーザが発着信履歴１０２ａに関する情報を容易に確認することができる。
【００４８】
また、第１実施形態では、制御部１０１を、電話を着信した際に、発着信履歴１０２ａの中に、着信した電話番号に対応する発着信履歴１０２ａが存在する場合には、着信した電話番号に対応する発着信履歴１０２ａの発信回数または着信回数、最新の発着信日時、最新の発着信時の通話時間および発着信の頻度が大きい時間帯を表示部１０４、親機１０のスピーカ１１０および子機２０のスピーカ２０２により通知する制御を行うように構成することによって、通知された発着信履歴１０２ａの発信回数または着信回数、最新の発着信日時、最新の発着信時の通話時間および発着信の頻度が大きい時間帯の情報によりユーザが容易に発信者を推定することができる。
【００４９】
また、第１実施形態では、制御部１０１を、電話を着信した際に、発着信履歴１０２ａの中に、着信した電話番号に対応する発着信履歴１０２ａが存在しない場合には、不明な電話番号からの着信である旨を表示部１０４、親機１０のスピーカ１１０および子機２０のスピーカ２０２により通知する制御を行うように構成することによって、表示部１０４、親機１０のスピーカ１１０および子機２０のスピーカ２０２による不明な電話番号からの着信である旨の通知に基づいて、ユーザが不明な電話番号からの着信に対して適切な対処をとることができる。
【００５０】
また、第１実施形態では、制御部１０１を、発着信した電話番号に対応した発着信履歴１０２ａに対応付けて通話時の音声をメモリ１０２に記憶させるとともに、電話を着信した際に、発着信履歴１０２ａの中に、着信した電話番号に対応する発着信履歴１０２ａが存在する場合には、メモリ１０２に記憶させた通話時の音声を親機１０のスピーカ１１０および子機２０のスピーカ２０２により通知する制御を行うように構成することによって、発着信履歴１０２ａに対応付けて記憶された通話時の音声によりユーザが容易に発信者を推定することができる。
【００５１】
また、第１実施形態では、制御部１０１を、通話後に発着信した電話番号に対するユーザの評価を受け付けて発着信した電話番号に対応した発着信履歴１０２ａに対応付けて発着信した電話番号に対するユーザの評価をメモリ１０２に記憶させるとともに、電話を着信した際に、発着信した電話番号に対するユーザの評価に基づいて、評価が低い場合には着信時の呼び出しを行わない制御を行うように構成することによって、ユーザの評価が低い発信者からの着信に対してユーザが対応しなくても済むようにすることができる。
【００５２】
また、第１実施形態では、電話帳１０３ａを記憶するメモリ１０３をさらに備え、制御部１０１を、電話を着信した際に、着信した電話番号がメモリ１０３に記憶された電話帳１０３ａに登録されている場合には、電話帳１０３ａに登録された着信した電話番号に関する情報を通知するとともに、着信した電話番号がメモリ１０３に記憶された電話帳１０３ａに登録されていない場合で、かつ、メモリ１０２に記憶された発着信履歴１０２ａの中に、着信した電話番号に対応する発着信履歴１０２ａが存在する場合には、着信した電話番号に対応する発着信履歴１０２ａに関する情報を表示部１０４、親機１０のスピーカ１１０および子機２０のスピーカ２０２により通知する制御を行うように構成することによって、電話帳１０３ａに登録されている電話番号からの着信の場合には優先的に電話帳に登録された着信した電話番号に関する情報を通知して発信者を容易に特定させることができるとともに、電話帳１０３ａに登録されていない電話番号からの着信の場合でも着信した電話番号に対応する発着信履歴に関する情報を通知して発信者を特定しやすくすることができる。
【００５３】
（第２実施形態）
次に、図１、図５、図６および図９〜図１１を参照して、本発明の第２実施形態による固定電話機１について説明する。この第２実施形態では、着信した電話番号に対応する発着信履歴１０２ａの着信回数と発信回数とを比較した上記第１実施形態と異なり、着信した電話番号に対応する発着信履歴１０２ｂの着信日時と発信日時とを比較する固定電話機１について説明する。なお、固定電話機１は、本発明の「電話機」の一例である。
【００５４】
メモリ１０２は、発着信履歴１０２ｂ（図１参照）を記憶している。発着信履歴１０２ｂには、発信履歴（図９参照）と、着信履歴（図１０参照）とがそれぞれ発着信ごとに記憶されている。具体的には、発信履歴には、図９に示すように、発信日時、通話時間、多く発信する時間帯、発着信した電話番号に対するユーザの評価および通話時の音声がそれぞれ発信ごとに記憶されている。また、着信履歴には、図１０に示すように、着信日時、通話時間、多く着信する時間帯、発着信した電話番号に対するユーザの評価および通話時の音声がそれぞれ着信ごとに記憶されている。なお、多く発信する時間帯および多く着信する時間帯は、１週間を平日、土曜日および日曜日に区切った上で、さらに１日を３時間ごとに８つに区切った時間帯で表している。また、発着信した電話番号に対するユーザの評価は、ユーザにとって安全な発信者である「○」の評価と、ユーザにとって安全とも迷惑とも言えない発信者（たとえば、発信者のことをユーザは知っているが、電話を取りたくない時もある発信者）である「△」の評価と、ユーザにとって迷惑な発信者である「×」の評価との３つに分類されている。また、評価がされていない場合は「−」で表されている。また、発着信履歴１０２ｂは、書き換え可能に構成されている。
【００５５】
たとえば、発信履歴の電話番号が「ｂｂｂ−ｂｂｂｂ−ｂｂｂｂ」の場合では、発信日時が２０１１年５月３１日（火）１９：４２、通話時間が通話していないため無し、多く発信する時間帯が平日の１８時〜２１時の間、発着信した電話番号に対するユーザの評価が△、通話時の音声は無しということが発着信履歴１０２ｂに記憶されている。
【００５６】
次に、図１１を参照して、制御部１０１による着信した電話番号に関する情報を通知する処理について説明する。
【００５７】
ステップＳ５１において、制御部１０１は、着信した電話番号が電話帳１０３ａに登録されているか否かを判断する。電話帳１０３ａに登録されていなければ、ステップＳ５２に進む。電話帳１０３ａに登録されていれば、ステップＳ５９において、制御部１０１は、電話帳１０３ａに登録されている発信者の名前を、表示部１０４により表示させるとともに親機１０のスピーカ１１０および子機２０のスピーカ２０２により名前を音声で出力させて、着信した電話番号に関する情報を通知する処理を終了する。
【００５８】
電話帳１０３ａに登録されていない場合には、ステップＳ５２において、制御部１０１は、着信した電話番号が発着信履歴１０２ｂの発信履歴に存在するか否かを判断する。発信履歴に存在すれば、ステップＳ５３において、制御部１０１は、着信した電話番号が発着信履歴１０２ｂの着信履歴に存在するか否かを判断する。着信履歴に存在しなければ、ステップＳ５５に進む。着信履歴に存在すれば、ステップＳ５４において、制御部１０１は、着信した電話番号に対応する発着信履歴１０２ｂの着信日時と発信日時とを比較する。発信日時が着信日時よりも新しければ、ステップＳ５５において、制御部１０１は、着信した電話番号に対応する発着信履歴１０２ｂの最新の発信日時、最新の発信時の通話時間、発信回数、発着信した電話番号に対するユーザの評価および多く発信する時間帯を、表示部１０４により表示させるとともに親機１０のスピーカ１１０および子機２０のスピーカ２０２により音声で出力させる。
【００５９】
一方、着信日時が発信日時よりも新しければ、ステップＳ５６において、制御部１０１は、着信した電話番号に対応する発着信履歴１０２ｂの最新の着信日時、最新の着信時の通話時間、着信回数、発着信した電話番号に対するユーザの評価および多く着信する時間帯を、表示部１０４により表示（図５参照）させるとともに親機１０のスピーカ１１０および子機２０のスピーカ２０２により音声で出力させる。
【００６０】
ステップＳ５５またはステップＳ５６の後、ステップＳ５７において、制御部１０１は、着信した電話番号に対応する発着信履歴１０２ｂに通話時の音声データが存在するか否かを判断する。通話時の音声データが存在すれば、ステップＳ５８において、制御部１０１は、通話時の音声を親機１０のスピーカ１１０および子機２０のスピーカ２０２により音声で出力させる。通話時の音声データが存在しなければ、制御部１０１は、着信した電話番号に関する情報を通知する処理を終了する。
【００６１】
ステップＳ５２の判断において発信履歴に存在しない場合には、ステップＳ６０において、制御部１０１は、着信した電話番号が発着信履歴１０２ｂの着信履歴に存在するか否かを判断する。着信履歴に存在すれば、ステップＳ５６に進み、着信履歴に存在しなければ、ステップＳ６１に進む。ステップＳ６１において、制御部１０１は、着信した電話番号が不明である旨を、表示部１０４により表示（図６参照）させるとともに親機１０のスピーカ１１０および子機２０のスピーカ２０２により音声で出力させて、着信した電話番号に関する情報を通知する処理を終了する。
【００６２】
なお、第２実施形態のその他の構成は、上記第１実施形態と同様である。
【００６３】
上記のように、第２実施形態の構成においても、上記第１実施形態と同様に、着信した電話番号に対応する発着信履歴１０２ｂに関する情報を表示部１０４、親機１０のスピーカ１１０および子機２０のスピーカ２０２により通知する制御を行う制御部１０１を設けることによって、予め電話帳１０３ａに登録していない電話番号から着信した場合でも、発信者を特定しやすくすることができる。これにより、電話帳１０３ａに登録されていない電話番号から着信した場合でも、迷惑電話か否かを判別できる可能性を高くすることができる。
【００６４】
さらに、第２実施形態では、上記のように、制御部１０１を、電話を着信した際に、メモリ１０２に記憶された発着信履歴１０２ｂの着信した電話番号に対応する発着信履歴１０２ｂの着信日時と発信日時とを比較することにより、発着信日時が新しい方の着信した電話番号に対応する履歴に関する情報を選択して表示部１０４、親機１０のスピーカ１１０および子機２０のスピーカ２０２により通知する制御を行うように構成することによって、発信履歴に関する情報および着信履歴に関する情報の一方を選択して通知することにより情報量が過度に多くなるのを抑制することができるので、通知された情報に基づいて、発信者を特定する際のユーザの負担を軽減することができる。
【００６５】
なお、第２実施形態のその他の効果は、上記第１実施形態と同様である。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６７】
たとえば、上記第１および第２実施形態では、本発明の電話機の一例として固定電話機を適用する例を示したが、本発明はこれに限られない。本発明では、固定電話機以外の電話機に適用してもよい。たとえば、携帯電話機等に本発明を適用してもよい。
【００６８】
また、上記第１および第２実施形態では、第１記憶部としてのメモリ１０２と、第２記憶部としてのメモリ１０３とが別個に設けられている例を示したが、本発明はこれに限られない。本発明では、第１記憶部と第２記憶部とが共通の記憶部として１つ設けられている構成でもよい。
【００６９】
また、上記第１および第２実施形態では、通知部は、表示部と、音声出力部としての親機のスピーカおよび子機のスピーカとが含まれている例を示したが、本発明はこれに限られない。本発明では、通知部は、表示部および音声出力部のうち少なくとも一方を含んでいれば、表示部および音声出力部の両方が含まれていなくてもよい。
【００７０】
また、上記第１および第２実施形態では、着信した電話番号に対応する発着信履歴に関する情報を、表示部と、音声出力部としての親機のスピーカおよび子機のスピーカとにより通知する構成の例を示したが、本発明はこれに限られない。本発明では、着信した電話番号に対応する発着信履歴に関する情報を、表示部および音声出力部のうち少なくとも一方により通知する構成であれば、表示部および音声出力部の両方により通知する構成でなくてもよい。
【００７１】
また、上記第１および第２実施形態では、着信した電話番号に対応する発着信履歴の発信回数または着信回数、最新の発着信日時、最新の発着信時の通話時間、発着信した電話番号に対するユーザの評価および発着信の頻度が大きい時間帯を通知部としての表示部、親機のスピーカおよび子機のスピーカにより通知する構成の例を示したが、本発明はこれに限られない。本発明では、着信した電話番号に対応する発着信履歴の発信回数または着信回数、最新の発着信日時、最新の発着信時の通話時間および発着信の頻度が大きい時間帯のうち少なくとも１つを通知部により通知する構成であればよい。
【００７２】
また、上記第１および第２実施形態では、着信した電話番号に対応する発着信履歴の発信回数または着信回数、最新の発着信日時、最新の発着信時の通話時間、発着信した電話番号に対するユーザの評価および発着信の頻度が大きい時間帯を通知部としての表示部、親機のスピーカおよび子機のスピーカにより通知する構成の例を示したが、本発明はこれに限られない。本発明では、着信した電話番号に対応する発着信履歴の発信履歴および着信履歴の有無を通知部により通知するようにしてもよい。発信履歴および着信履歴の有無として、たとえば、「発信履歴のある相手です」、「着信履歴のある相手です」または「発信履歴および着信履歴のある相手です」と通知部により通知するようにしてもよい。これにより、着信した電話番号に対応する発信履歴および着信履歴の有無をユーザが容易に確認することができる。
【００７３】
また、上記第１および第２実施形態では、制御部が着信した電話番号に対するユーザの評価（○△×）に基づいて、評価が低い場合（×の場合）に着信時の呼び出しを行わない構成の例を示したが、本発明はこれに限られない。本発明では、着信した電話番号に対するユーザの評価がなくてもよく、その場合、着信した電話番号に対応する着信履歴に関する通知に基づいて最終的にユーザが着信した電話の対処を判断する構成でもよい。
【００７４】
また、上記第１および第２実施形態では、電話機としての固定電話機に親機と子機とを設ける構成の例を示したが、本発明はこれに限られない。本発明では、電話機に子機を設けずに親機だけの構成にしてもよい。
【００７５】
また、上記第１および第２実施形態では、説明の便宜上、制御部の処理動作を処理フローに沿って順番に処理を行うフロー駆動型のフローチャートを用いて説明したが、本発明はこれに限らない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【００７６】
また、上記第１および第２実施形態では、通話終了後の処理において、発着信履歴の発着信した電話番号に対するユーザの評価がまだされていない場合に、ユーザの評価を受け付ける例を示したが、本発明はこれに限られない。本発明では、ユーザの評価がされているか否かに係わらず、通話終了時に電話番号が電話帳に登録されていない場合は、ユーザの評価を受け付ける構成にしてもよい。この場合、ユーザが評価を変更したい相手の評価を通話終了時に書き換えることができる。また、通話終了時以外に発着信履歴の発着信した電話番号に対するユーザの評価をユーザの操作により変更できるようにしてもよい。
【００７７】
また、上記第１実施形態では、着信した電話番号に対応する発着信履歴の中に発信履歴および着信履歴の両方が存在する場合に、発信回数と着信回数とを互いに比較して、回数が多い方の履歴に関する情報を選択して通知する例を示したが、本発明はこれに限られない。本発明では、着信した電話番号に対応する発着信履歴の中に発信履歴が存在すれば、着信履歴の着信回数に係わらず、発信履歴に関する情報を通知するようにしてもよい。これにより、発信というユーザの発意に基づいて通話した際の発信履歴に関する情報を着信履歴に対して優先して通知することができるので、ユーザが容易に発信者を特定しやすくすることができる。
【００７８】
また、上記第１実施形態では、着信した電話番号に対応する発着信履歴の発信回数と着信回数とを互いに比較して、回数が多い方の履歴に関する情報を選択して通知する例を示したが、本発明はこれに限られない。本発明では、発信履歴および着信履歴の両方が存在する場合に発信履歴に関する情報および着信履歴に関する情報の両方を通知するようにしてもよい。
【符号の説明】
【００７９】
１  固定電話機（電話機）
１０１  制御部
１０２  メモリ（第１記憶部）
１０２ａ、１０２ｂ  発着信履歴
１０３  メモリ（第２記憶部）
１０３ａ  電話帳
１０４  表示部（通知部）
１１０  スピーカ（通知部）
２０２  スピーカ（通知部）
【図１】
2013051581.tif 000003
【図２】
2013051581.tif 000004
【図３】
2013051581.tif 000005
【図４】
2013051581.tif 000006
【図５】
2013051581.tif 000007
【図６】
2013051581.tif 000008
【図７】
2013051581.tif 000009
【図８】
2013051581.tif 000010
【図９】
2013051581.tif 000011
【図１０】
2013051581.tif 000012
【図１１】
2013051581.tif 000013